(57)【要約】【課題】  輸送後においても内部の見栄えがよい包装用容器を提供する。【解決手段】  包装用容器１００は、底壁１１と、底壁１１から上方に延びる本体周壁１２と、本体周壁１２の上端の内側の領域に形成された本体開口部１３と、を有する容器本体１と、容器本体１に接続され、本体開口部１３に配置されている装飾表示部２と、容器本体１に着脱可能であり、容器本体１に取り付けた状態において装飾表示部２を覆う蓋５と、を備える。【選択図】      図１
0003233056.tif 000002
【実用新案登録請求の範囲】
【請求項１】
底壁と、底壁から上方に延びる本体周壁と、前記本体周壁の上端の内側の領域に形成された本体開口部と、を有する容器本体と、
前記容器本体に接続され、前記本体開口部に配置されている装飾表示部と、
前記容器本体に着脱可能であり、前記容器本体に取り付けた状態において前記装飾表示部を覆う蓋と、を備える、包装用容器。
【請求項２】
前記装飾表示部は、前記本体周壁の上端に連続している、請求項１に記載の包装用容器。
【請求項３】
前記容器本体は、前記本体周壁によって囲まれる空間に配置される内枠を有し、
前記装飾表示部は、下面が前記内枠に当接している、請求項２に記載の包装用容器。
【請求項４】
上端が前記装飾表示部に連続し、下端が前記底壁に当接する脚部を有する、請求項２に記載の包装用容器。
【請求項５】
前記装飾表示部は、一対の長辺を有する短冊状に形成され、一方の前記長辺が前記本体周壁に連続している、請求項１乃至４の何れか１項に記載の包装用容器。
【請求項６】
前記容器本体は、前記本体周壁によって囲まれる空間に配置される内枠を有し、
前記装飾表示部は、前記内枠に連続している、請求項１に記載の包装用容器。
【請求項７】
前記容器本体は、前記本体周壁によって囲まれる空間に配置される内枠を有し、
前記装飾表示部は、所定方向に延在する短冊状であり、一端が前記内枠に連続し、他端部が下方に折り曲げられ、前記内枠の上端に掛けられている、請求項１に記載の包装用容器。
【考案の詳細な説明】
【技術分野】
【０００１】
本考案は、包装用容器に関する。
【背景技術】
【０００２】
従来から装飾を施した包装ケースが知られている（例えば特許文献１参照）。
【０００３】
この包装ケースは、段ボールなどの板紙よりなり、絵、図形、文字などが印刷されている内フラップを備えている。これによって、絵、図形、文字などが印刷されている部分を好みに応じて利用することができる。
【先行技術文献】
【特許文献】
【０００４】
【特許文献１】実開昭５１―７８８５２号公報
【考案の概要】
【考案が解決しようとする課題】
【０００５】
しかし、特許文献１に記載の包装ケースは、内フラップを備える必要があり、容器と蓋とが別体である贈答品の包装用箱等には適用できないという問題があった。
【課題を解決するための手段】
【０００６】
上記課題を解決するため、本考案のある態様に係る包装用容器は、底壁と、底壁から上方に延びる本体周壁と、前記本体周壁の上端の内側の領域に形成された本体開口部と、を有する容器本体と、前記容器本体に接続され、前記本体開口部に配置されている装飾表示部と、前記容器本体に着脱可能であり、前記容器本体に取り付けた状態において前記装飾表示部を覆う蓋と、を備える。
【０００７】
この構成によれば、輸送時等における装飾表示部の位置ずれを防止することができる。これによって、蓋を開けたときの見栄えの低下を防止することができる。
【考案の効果】
【０００８】
本考案は、輸送後、蓋を開けたときの見栄えの低下を防止することができるという効果を奏する。
【図面の簡単な説明】
【０００９】
【図１】本考案の実施の形態１に係る包装用容器の構成例を示す斜視図である。
【図２】本考案の実施の形態２に係る包装用容器の構成例を示す斜視図である。
【図３】本考案の実施の形態３に係る包装用容器の構成例を示す斜視図である。
【図４】本考案の実施の形態４に係る包装用容器の構成例を示す斜視図である。
【考案を実施するための形態】
【００１０】
以下、実施の形態について、図面を参照しながら説明する。なお、本実施の形態によって本考案が限定されるものではない。また、以下では、全ての図を通じて、同一又は相当する要素には同一の参照符号を付して、その重複する説明を省略する。
【００１１】
（実施の形態１）
図１は、実施の形態１に係る包装用容器１００の構成例を示す斜視図であり、蓋５を容器本体１から取り外した状態を示す図である。
【００１２】
包装用容器１００は、例えば、厚紙製の包装用箱であり、輸送時の衝撃から収容した物品を保護する。また、包装用容器１００は、贈答用の物品を収容するための容器であり、物品の見栄えをよくするように装飾するための容器である。包装用容器１００は、例えば平面視矩形に形成されている。包装用容器１００は、容器本体１と、装飾表示部２と、蓋５とを備える。容器本体１は、厚紙製の１枚のブランクシートを折り曲げて形成される。本実施の形態において、容器本体１は、浅皿状に形成したものを例示しており、底壁１１と、本体周壁１２と、本体開口部１３とを含む。
【００１３】
底壁１１は、薄肉板状に形成され、収容物が直接又は間接的に載置される。
【００１４】
本体周壁１２は、容器本体１の内部空間を囲むように配設され、底壁１１に載置された収容物の容器本体１の外部への移動を規制する。本体周壁１２は、底壁１１の周縁から上方に延びるように形成され、物品を収容する空間の周囲を取り囲む。本体周壁１２は、底壁１１から上方に延びる厚紙を内側に折り込んで、２重となっている。
【００１５】
そして、本体周壁１２の上端の内側の領域に本体開口部１３が形成されている。この本体開口部１３を通じて、底壁１１、本体周壁１２、本体開口部１３によって囲まれる内部空間に物品を収容したり、当該空間に収容された物品を取り出したりすることができる。
【００１６】
装飾表示部２は、薄肉板状に形成され、容器本体１に接続され、本体開口部１３に配置されている。装飾表示部２の上面には、所定の情報が記載されている。この所定の情報とは、図示しない容器本体１に収容した物品に関する情報、物品の製造者に関する情報、贈り主に関する情報、又は贈り先に対する贈り主のメッセージである。また、装飾表示部２は、容器本体１を構成する部材の一部を用いて形成されている。本実施の形態において、装飾表示部２は、一対の長辺２ａを有する短冊状に形成され、一方の長辺２ａが本体周壁１２の上端に連続している。また、装飾表示部２は、本体周壁１２を構成する厚紙のうち内側に折り込む部分の一部を折り込まずに本体開口部１３上に延在させて形成している。
【００１７】
このように装飾表示部２は、長辺２ａが本体周壁１２の上端に連続しているので、装飾表示部２が根元から折れ曲がり難くすることができる。これによって、輸送中に収容した物品が動いて装飾表示部２に衝突したことに起因して装飾表示部２が折れ曲がり、見栄えが低下することを防止することができる。
【００１８】
そして、包装用容器１００は、装飾表示部２に連続する脚部３を備える。脚部３は、上端が装飾表示部２の外周縁に連続し、下方に伸延し、下端が底壁１１に接地するように当接している。これによって、脚部３は、装飾表示部２が、容器本体１に落ち込むことを防止しており、見栄えの低下を防止することができる。
【００１９】
蓋５は、厚紙製の１枚のブランクシートを折り曲げて形成される。蓋５は、容器本体１と別体であり、容器本体１に着脱可能に構成され、容器本体１に嵌めて取り付けることによって本体開口部１３を閉塞し、この閉塞状態において装飾表示部２を覆う。また、蓋５を容器本体１から持ち上げることによって、蓋５を容器本体１から取り外すことができ、本体開口部１３が開放され、装飾表示部２を露出させることができる。蓋５は、上壁５１と、蓋周壁５２とを含む。
【００２０】
上壁５１は、底壁１１と略相似形の薄肉板状に形成され、底壁１１よりも左右寸法及び前後寸法が若干大きく形成されている。上壁５１は、蓋５を容器本体１に取り付けた状態において、本体開口部１３を覆う。
【００２１】
蓋周壁５２は、蓋５を容器本体１に取り付けた状態において、本体周壁１２を取り囲むように形成されている。そして、蓋周壁５２の下端の内側の領域に蓋開口部５３が形成されている。蓋開口部５３を通じて蓋５の内側に容器本体１を位置させるように蓋５を容器本体１に被せることができる。これによって、蓋５を容器本体１に取り付けることができる。蓋周壁５２は、上壁５１から下方に延びる厚紙を内側に折り込んで、２重となっている。
【００２２】
そして、容器本体１に贈答用の物品を収容し、蓋５を取り付けて、贈り先に輸送する。そして、贈り先において、蓋５を持ち上げて開けると、贈答用の物品の上の所定位置に装飾表示部２が配置された状態で、物品が装飾表示部２によって装飾された状態で見栄え良く観察され、贈り先における満足度を向上させることができる。
【００２３】
以上の通り、包装用容器１００は、容器本体１に連続する装飾表示部２を備える。これによって、輸送時等における装飾表示部２の位置ずれを防止することができる。したがって、贈り先において、蓋５が開けられたときに装飾表示部２の位置及び姿勢が乱れて見栄えが低下してしまうことを防止することができる。また、装飾表示部２は本体周壁１２の上端に連続しており、装飾表示部２を開箱時に目に付きやすい位置に位置させることができる。
【００２４】
（実施の形態２）
以下では実施の形態２の構成について、実施の形態１との相違点を中心に述べる。図２は、実施の形態２に係る包装用容器２００の構成例を示す斜視図であり、蓋５を容器本体１から取り外した状態を示す図である。
【００２５】
図２に示すように、包装用容器２００の容器本体１は、内枠２１４を更に備える。また、包装用容器２００は装飾表示部２に代えて装飾表示部２０２を備える。
【００２６】
内枠２１４は、例えば仕切りとしての機能を果たし、容器本体１の本体周壁１２によって囲まれる空間に配置される。内枠２１４は、例えば、厚紙を折り曲げて形成され、仕切壁２１４ａを有する。
【００２７】
本実施の形態において、装飾表示部２０２は、上記実施の形態１の装飾表示部２と同様に構成されている。そして、装飾表示部２０２は、下面２０２ｃが内枠２１４の上面、より具体的には、内枠２１４の仕切壁２１４ａの頂部に当接している。これによって、装飾表示部２０２の箱への落ち込みを防止することができ、見栄えの低下を防止することができる。なお、本実施の形態において脚部３は設けられていないが、脚部３が設けられていてもよい。
【００２８】
（実施の形態３）
以下では実施の形態３の構成について、実施の形態１との相違点を中心に述べる。図３は、実施の形態３に係る包装用容器３００の構成例を示す斜視図であり、蓋５を容器本体１から取り外した状態を示す図である。
【００２９】
図３に示すように、包装用容器３００の容器本体１は、内枠３１４を更に備える。また、包装用容器３００は、装飾表示部２に代えて装飾表示部３０２を備える。
【００３０】
内枠３１４は、例えば容器本体１の内側の装飾機能を果たし、容器本体１の本体周壁１２によって囲まれる空間に配置される。内枠３１４は、例えば、上面が開口する有底の箱状体であり、厚紙を折り曲げて形成され、表面には容器本体１の装飾を目的とする模様が施されている。
【００３１】
装飾表示部３０２は、内枠３１４と一体に形成され、内枠３１４の一部の領域を抜き出して形成されている。装飾表示部３０２は、所定方向に延在する短冊状であり、一端３０２ａが内枠３１４に連続し、他端部３０２ｂが下方に折り曲げられ、内枠３１４の上端に掛けられている。より具体的には、装飾表示部３０２は、下向きのコの字状に折り曲げられ、一端３０２ａは谷折り線を介して内枠３１４に連続している。また、他端部３０２ｂは、内枠３１４と本体周壁１２の内側面との間に挟み込まれている。装飾表示部３０２のその他の点は、装飾表示部２と同様であるのでその詳細な説明を省略する。
【００３２】
このように、装飾表示部３０２は、内枠３１４に連続しているので、輸送時等における装飾表示部３０２の位置ずれを適切に防止することができる。これによって、蓋５を開けたときの見栄えの低下を防止することができる。また、装飾表示部３０２が、箱に落ち込むことを防止することができ、見栄えの低下を防止することができる。
【００３３】
（実施の形態４）
以下では実施の形態４の構成について、実施の形態１との相違点を中心に述べる。図４は、実施の形態４に係る包装用容器４００の構成例を示す斜視図であり、蓋５を容器本体１から取り外した状態を示す図である。
【００３４】
図４に示すように、包装用容器４００の容器本体１は、内枠４１４を更に備える。また、包装用容器４００は、装飾表示部２に代えて装飾表示部４０２を備える。
【００３５】
内枠４１４は、例えば容器本体１の内側の装飾機能及び仕切りとしての機能を果たし、容器本体１の本体周壁１２によって囲まれる空間に配置される。内枠４１４は、例えば、上面が開口する有底の箱状体であり、厚紙を折り曲げて形成されている。内枠４１４は、本体周壁１２の内側面に沿って配置されている周枠４１４ａと、周枠４１４ａの上縁から内側斜め上方に延びる連結片４１４ｂとを含む。
【００３６】
装飾表示部４０２は、内枠４１４と一体に形成され、連結片４１４ｂを介して周枠４１４ａに接続されている。連結片４１４ｂの上端は、装飾表示部４０２の内側側縁４０２ａに接続され、装飾表示部４０２は、内枠４１４に連続している。装飾表示部４０２のその他の点は、装飾表示部２と同様であるのでその詳細な説明を省略する。
【００３７】
このように、装飾表示部４０２は、内枠４１４に連続しているので、輸送時等における装飾表示部４０２の位置ずれを適切に防止することができる。これによって、蓋５を開けたときの見栄えの低下を防止することができる。
【００３８】
上記説明から、当業者にとっては、本考案の多くの改良や他の実施の形態が明らかである。したがって、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【符号の説明】
【００３９】
１  容器本体
２  装飾表示部
５  蓋
１１  底壁
１２  本体周壁
１３  本体開口部
１００  包装用容器
【図１】
0003233056.tif 000003
【図２】
0003233056.tif 000004
【図３】
0003233056.tif 000005
【図４】
0003233056.tif 000006